(57)【特許請求の範囲】
【請求項１】
ドラムの内部に装填したロール状粘着シートを、ドラムの外周の一部で該ドラムの軸方向に沿うように設けたシート取出口から外側に取出して該ドラムの外周に巻掛ける清掃具であって、
ドラムの外周面における該ドラムの周方向でシート取出口を挟む両側部に当接し、ドラムの内部から引出された略１周分の新規粘着シートの先端部と終端部の重なり部を該新規粘着シートの外側から該ドラムに押え、かつ該新規粘着シートが続く使用済粘着シートの終端部を該新規粘着シートの先端部と切断分離するシート押えを該ドラムに備えてなる清掃具。
【発明の詳細な説明】
【０００１】
【発明の属する技術分野】
本発明は清掃具に関する。
【０００２】
【従来の技術】
実公平1-17246に記載の清掃具は、ドラムの内部に装填したロール状粘着シートを、ドラムのシート取出口から外側に取出して該ドラムの外周に巻掛けて使用される。
【０００３】
【発明が解決しようとする課題】
▲１▼ドラムに巻掛けられた粘着シートの先端部が床面に貼り付いてドラムの外周から剥離してしまうのを防止するため、その先端部をドラムに設けられた軸片に止着しており、清掃具の構造が複雑で、取扱いが難しい。
【０００４】
▲２▼ドラムに巻掛られた粘着シートの終端部が床面に貼り付いてドラムの内部のロールから新たな粘着シートを徒らに引出し、ドラム上に粘着シートのたるみが生ずるのを防止するため、ロールの巻き締めロック装置を備えており、清掃具の構造が複雑であり、使用が煩雑である。
【０００５】
▲３▼ドラムから取出した粘着シートの先端部を切断するための手段を具備していないので、ナイフ等を別個に用意する必要があり煩雑である。
【０００６】
本発明の課題は、ドラムから取出した粘着シートを簡易に切断可能とするとともに、粘着シートをドラムの周囲に簡易に保持することにある。
【０００７】
【課題を解決するための手段】
本発明は、ドラムの内部に装填したロール状粘着シートを、ドラムの外周の一部で該ドラムの軸方向に沿うように設けたシート取出口から外側に取出して該ドラムの外周に巻掛ける清掃具であって、ドラムの外周面における該ドラムの周方向でシート取出口を挟む両側部に当接し、ドラムの内部から引出された略１周分の新規粘着シートの先端部と終端部の重なり部を該新規粘着シートの外側から該ドラムに押え、かつ該新規粘着シートが続く使用済粘着シートの終端部を該新規粘着シートの先端部と切断分離するシート押えを該ドラムに備えてなるようにしたものである。
【０００８】
【発明の実施の形態】
清掃具１０は、図１に示す如く、操作部材１１に自在継手１２を介して支持部材１３が連結され、支持部材１３に回転軸１４が設けられ、ドラム１５のエンドプレート１６に設けた巻出軸１７を回転軸１４に回転自在に支持している。
【０００９】
清掃具１０は、ドラム１５のエンドプレート１６を開閉する等により、ドラム１５の内部に粘着シート３１のロール３０を装填可能とする。ロール３０の内径部をドラム１５の巻出軸１７に圧接状態で嵌合し、粘着シート３１を巻出軸１７との摩擦力に抗する張力付与状態で引出し可能とする。ロール３０は粘着シート３１の粘着面を内側にして巻かれ、剥離紙を伴わない。
【００１０】
清掃具１０は、図２に示す如く、ドラム１５の外周の一部をシート取出口１８とし、ドラム１５のシート取出口１８とその両側外面部を凹部１９とし、この凹部１９を除くドラム１５の外周をクッション材２０により被覆している。清掃具１０は、ドラム１５のシート取出口１８の一端側にシート押え２１を揺動自在に支持し、シート押え２１を凹部１９に格納可能とする。凹部１９に格納されたシート押え２１は、係止部２１Ａをドラム１５の係止部１５Ａに係止して保持された状態で、シート押え２１の両側部をドラム１５のシート取出口１８を挟む両側部に当接させ、かつシート押え２１の外面をクッション材２０の外面より低くする。シート押え２１の一方のエッジはシート切断部２２となる。
【００１１】
ドラム１５の内部の粘着シート３１は、ドラム１５のシート取出口１８から外側に取出され、シート取出口１８において反転されてその粘着面を外向きにされた状態でドラム１５の外周（クッション材２０）に巻掛けられ、ドラム１５を１周した粘着シート３１の先端部３２を上述の凹部１９の範囲内で、シート取出口１８から取出された直後の粘着シート３１の終端部３３に重ねて接着される。粘着シート３１の先端部３２と終端部３３の重なり部はシート押え２１により外側からドラム１５の凹部１９に押えられて保持される（図３（Ａ））。このドラム１５を１周した粘着シート３１を、ドラム１５とともに回転軸１４まわりで回転し、被清掃面を転動することにて被清掃面上の塵埃異物を粘着捕捉可能とする。
【００１２】
ドラム１５の外周の１周分の使用済粘着シート３１Ａの粘着力が使用経過により低下したら、シート押え２１を凹部１９から開放し、この使用済粘着シート３１Ａの先端部３２をつかんでこれに続く新規粘着シート３１Ｂをドラム１５から１周分引出す（図３（Ｂ））。新規粘着シート３１Ｂの先端部３２と終端部３３の重なり部をシート押え２１によりドラム１５の凹部１９に押えて保持するとともに、使用済粘着シート３１Ａの終端部３３をシート押え２１のシート切断部２２に引きあててこれを新規粘着シート３１Ｂの先端部３２と切断分離する（図３（Ｃ）、（Ｄ））。新規粘着シート３１Ｂは、使用済粘着シート３１Ａを介してドラム１５から引出すことにより、ドラム１５の周囲にスムースに巻掛けできる。
【００１３】
本実施形態によれば、以下の作用がある。
（請求項１に対応する作用）
▲１▼粘着シート３１を切断するシート押え２１をドラム１５に備えたから、粘着シート３１を簡易に切断できる。
【００１４】
▲２▼粘着シート３１の先端部３２はシート押え２１によりドラム１５に押えられて簡易に保持される。ドラム１５に巻掛られた粘着シート３１の先端部３２が床面に貼付いてドラム１５の外周から剥離することを防止できる。
【００１５】
（請求項２に対応する作用）
▲３▼粘着シート３１の終端部３３もシート押え２１によりドラム１５に押えられて簡易に保持される。ドラム１５に巻掛られた粘着シート３１の終端部３３が床面に貼付いてドラム１５の内部のロール３０から徒らに引出されるのを防止し、ドラム１５上に粘着シート３１のたるみが生ずるのを防止できる。
【００１６】
また、シート押え２１がシート取出口１８の部分に配置されたから、粘着シート３１の先端部３２と終端部３３の重なり部の長さを短くできる。また、シート押え２１を凹部１９から開放すると、使用済粘着シート３１Ａの先端部３２がシート押え２１に貼り付いてその終端部３３との重なり部の側から剥離され、粘着シート３１をドラム１５から直ちに引出し開始できる。
【００１７】
【発明の効果】
以上のように本発明によれば、ドラムから取出した粘着シートを簡易に切断可能とするとともに、粘着シートをドラムの周囲に簡易に保持できる。
【図面の簡単な説明】
【図１】図１は清掃具を示す斜視図である。
【図２】図２は清掃具を示す断面図である。
【図３】図３は清掃具の粘着シート取出し切断状態を示す模式図である。
【符号の説明】
１０  清掃具
１５  ドラム
１８  シート取出口
２１  シート押え
２２  シート切断部
３０  ロール
３１  粘着シート
３２  先端部
３３  終端部
【図１】
0004690533.tif 000002
【図２】
0004690533.tif 000003
【図３】
0004690533.tif 000004